(57)【要約】      （修正有）【課題】コンクリート型枠の組立解体作業の煩雑さを解消させるための一括して移設するコンクリートユニット型枠スライド工法、およびコンクリートユニット型枠の構築に用いる新規な金具を提供する。【解決手段】コンパネ等のせき板に骨格となるリブ材を固定したコンクリート型枠１を連設し、板状セパレータ２とコンクリート型枠締付金具１７によって上下の横バタ材１４，１５を締結し、該横バタ材を包囲するように横バタ材ホールド金具１８を取付け、コンクリート打設後においてコンクリート型枠締付金具１７を全て解除すことにより、前記横バタ材が、ホールド金具１８に保存され、その状態でコンクリートユニット型枠せき板に絡む板状セパレータ２の不要部分をコンクリート面からはみださないように捩切り除去することで脱型を容易にし、一体化に構築されたコンクリートユニット型枠を一括して直上階に移設する。また、その構築に用いる新規な構成金具。【選択図】図１
2008115591.tif 000002
【特許請求の範囲】
【請求項１】
上下階層が同面の外壁におけるコンクリート打設時に構築されるコンクリートユニット型枠を、直上階における躯体外壁等のコンクリート打設に際して直上階に移設するスライドする工法であって、コンクリート既打設部の最上部にある型枠を締結するスラブ引き用のセパレータあるいは板状セパレータを残置せしめ、このセパレータにコンクリート型枠の支持金具を装着し、該コンクリートユニット型枠の支持金具にスライドさせたコンクリート型枠を載置するとともに、コンクリートユニット型枠の支持金具に設けられた締付金具と打設されたコンクリート面によって、スライドされたコンクリートユニット型枠の下端部を押圧挟持せしめることを特徴とするコンクリートユニット型枠スライド工法。
【請求項２】
請求項１記載のコンクリートユニット型枠スライド工法であって、コンクリートユニット型枠の背面に設置されるコンクリート荷重を支持する上下の横バタ材を包囲収容する横バタ材ホールド金具をコンクリートユニット型枠の適宜位置に設け、コンクリートユニット型枠のスライド時において、上下の横バタ材をその取付け位置の近傍に保持しつつコンクリートユニット型枠と一体的に移動せしめることを特徴とするコンクリートユニット型枠スライド工法。
【請求項３】
請求項１、２記載のコンクリートユニット型枠スライド工法であって、コンクリートユニット型枠の下端部の適宜位置に吊下げ金具を固定し、他方、コンクリートユニット型枠の上端部の適宜位置に前記吊下げ金具に対応して吊下げロープを案内するガイド金具を固定し、一方、コンクリート既打設部の最上部にコンクリートユニット型枠の安定を誘導するスキッド金具を取付け、前記スキッド金具によって誘導しながらスライドさせることを特徴とするコンクリートユニット型枠スライド工法。
【請求項４】
コンクリートユニット型枠の支持金具であって、コンクリートユニット型枠を受止めるため、コンクリート既打設部のスラブ引き用のセパレータあるいは板状セパレータに連結する締結金具により装着される固定脚部と、その上部において、コンクリートユニット型枠の下端部を押圧挟持するために進退自在の締付金具を有することを特徴とするコンクリートユニット型枠の支持金具。
【請求項５】
コンクリート型枠締付金具であって、スラブ引き用のセパレータあるいは板状セパレータに嵌合する連結部材をＵ字型に形成し、かつ、先端部をコンクリート型枠せき板に形成されたスラブ引き用のセパレータあるいは板状セパレータの挿通孔に嵌合する嘴状の軸受け部を形成し、さらに、スラブ引き用のセパレータあるいは板状セパレータに形成されているスリット状の透孔にクサビを挿し込み連結する透孔を設け、また、前記連結部材の後部にナットを螺合したネジ杆を固着するとともに、該ネジ杆に上下の横バタ材を押圧する座板が装着することを特徴とするコンクリート型枠締付金具。
【請求項６】
請求項５に記載のコンクリート型枠締付金具であって、連結部材の嘴状の軸受け部に設けられた段部に係止する座金を嵌着したことを特徴とする、コンクリート型枠締付金具。
【請求項７】
上下の横バタ材を包囲収容する横バタ材ホールド金具であって、上下の横バタ材を収容する空間部を有するコ字型の包囲部材に、前記空間を分割するように上下の横バタ材を分離支持する中間受け材を設け、該包囲部材の上下の脚部にコンクリート型枠の縦リブあるいは中間リブに固定するための固定孔を設けてなることを特徴とする横バタ材ホールド金具。
【請求項８】
請求項７記載の横バタ材ホールド金具であって、コンクリート型枠の縦リブあるいは中間リブに固定する脚部をＵ字型となし、前記脚部に縦リブあるいは中間リブに挟持するための締付ボルトを有する挟着締付金物を設けたことを特徴とする横バタ材ホールド金具。
【請求項９】
上下の横バタ材を包囲収容する横バタ材ホールド金具であって、上下の横バタ材を収容する空間部を有する、コ字型に形成した包囲部材に、前記空間を分割するように上下の横バタ材を分離支持する中間受け材を設け、該包囲部材の上下の脚部に連結孔を穿孔し、また、コ字型に形成したブラケット部材にコンクリート型枠の縦リブあるいは中間リブに打設するための固定孔を設けるとともに上下の脚部に連結孔を穿孔したブラケット金物に連結棒を介して前記包囲部材を連結固定することを特徴とする横バタ材ホールド金具。
【発明の詳細な説明】
【技術分野】
【０００１】
本発明は、鉄筋コンクリート構造物を成形する型枠に関する、コンクリート型枠固定締付構造およびコンクリート型枠および連接した一連のコンクリートユニット型枠を構築して直上階に移設するスライド工法および、これに関連する金具に関し、詳しくは、コンクリート型枠の連設作業をより簡便になし得る新規な構造、あるいは、コンクリートユニット型枠の構築に用いる新規な構成金具に関するものである。
【背景技術】
【０００２】
コンクリート構造物において、躯体の施工時におけるコンクリートの打設に際して、構造物の骨格として補強材となる鉄筋の配筋を介し、その両側において、せき板に縦リブと中間リブおよび上下の縁リブを組込み形成されたコンクリート型枠（以下、単に型枠と言うことがある。）を、それぞれ連設してユニット化し、この時、対抗するコンクリート型枠間に、型枠を所要間隔に維持するように丸棒状セパレータを配置するとともに、前記丸棒状セパレータと組合せて使用するコンクリート型枠締付金具であるバタ材締付け部に座板が装着するネジ杆を一体成型したフォームタイ（株式会社岡部の登録商標）（以下、単にフォームタイと言う。）により、対抗するコンクリート型枠を締結し、さらに、コンクリート打設時にコンクリート型枠に作用する荷重を支持するように、コンクリート型枠の背面を支持する上下の横バタ材を配置しながらフォームタイのネジ杆に螺合したナットを回転させて押圧固定することによって構築されたコンクリート型枠ユニット間にコンクリートを供給（流し込む）することによりコンクリート構造物の施工が行われている。
【０００３】
前述するコンクリート型枠のユニット化への構築に際して、上下階層が同面の外壁等では、一般に躯体の壁面と仮設足場建地とのすき間が２５０ミリ以下（例えば、非特許文献２照。）で設計されており、直上階に移動する型枠の解体あるいは組立時において、横バタ材等の仮置きスペースが確保できないことから、コンクリート型枠は解体と同時に手渡しで直上階に運び上げながら組立てる手軽な方法が一般的になされている。
【０００４】
また、上下階層が同面の外壁では、外部コンクリート型枠を受止めるための、基台となる敷きバタ材であるバタ角の設置作業を省略するため、内部（室内）側の型枠を先行させて配筋を挟み、前記内部側のコンクリート型枠に固定されたセパレータに外部型枠せき板の孔に合わせて１枚ずつ外部型枠をはりつけ、コンクリートの荷重を支持する上下の横バタ材を配置し、フォームタイを用いて押圧固定する工法が採用されているが、この方法ではコンクリート型枠の出入りは内部型枠に倣うため、打継ぎ部の目違い（段差）が発生しやすくなる。また、横バタ材の仮置スペースが困難なため、しかたなく足場作業床あるいは足場作業通路に横バタ材を仮置することになり、作業時における安全確保に問題が生ずるのみならず、作業能率も低下する。このようなことから、複数のコンクリート型枠を連接してユニット化したコンクリート型枠を一括して直上階へ持ち上げて移設（スライド）する、所謂、コンクリートユニット型枠のスライド工法が注目されるようになった。
【０００５】
従来提案されているコンクリート型枠のスライド工法に関する型枠を受ける敷きバタ材であるバタ角の設置にあっては、コンクリート型枠を撤去した後、最上部に残置する丸棒状セパレータによりコンクリート打設面から突出したネジ部に締結金具を螺着し、前記締結金具により、型枠を受ける敷きバタ材であるバタ角の押さえ金具であるステップタイ（株式会社岡部の登録商標）を締結し、この押さえ金具に支持されるバタ角の上端面が、打設された躯体スラブの天端と合致するように押さえ金具の上下位置の調整をしつつバタ角を締付固定し、しかる後、コンクリート型枠を下層階からスライドさせて持ち上げ、前記バタ角上に載置し、水平方向における打設面の目違いを調整しつつ配列しながら敷きバタ材であるバタ角に、釘、鎹等によりコンクリート型枠を位置決め固定し、しかる後、配列した一面のコンクリートユニット型枠せき板に丸棒状セパレータを挿し込み、その丸棒状セパレータの軸足部にフォームタイを螺着し、上下の横バタ材を配置しながら、前記フォームタイにより、該コンクリートユニット型枠を締結する工法が一般的になされている。
【０００６】
また、コンクリート型枠を受ける敷きバタ材であるバタ角の設置方法を改善するに、一連のコンクリートユニット型枠における、せき板の下部と上部の一部に切除部を設け、該部分に着脱可能に横せき板を組付けて、言い換えれば、型枠の上下一定の範囲を縦リブ（桟木等）に対して取外し可能の状態となし、コンクリート打設後における型枠の解体時において、この着脱可能に設けられた横せき板のうち、上部の横せき板部分を切り離してコンクリート打設面に残置し、この部分にスライドさせてきたコンクリートユニット型枠の下部における横せき板を分離した後、前記残置せしめた横せき板に突合せて型枠を固定するとともに、分離した下部の横せき板を上部の横せき板として組み付けることによって一体となし、これを各階層ごとに繰り返すスライド工法が提案されている。（例えば、特許文献１参照。）
【０００７】
また、一部では一連のコンクリートユニット型枠のスライド工法において、コンクリートユニット型枠の構築に際して、上下階層が同面の外壁等では躯体壁面にそって、仮設の作業足場を構築するが、墜落防止の安全面を保証するために躯体壁面と足場とのすき間が２５０ミリ以下を基準とされることから、型枠資材である型枠に作用する打設コンクリートの荷量を支持する横バタ材の仮置きスペースの確保が困難であり、そのため、コンクリート打設後において、コンクリートユニット型枠に、バタラック（商品名）と称する、型枠用バタ材の仮置金具を固定し、しかる後、コンクリート既打設部との連結する型枠を分離させるために上下の横バタ材を取外すが、その横バタ材の移送を簡便化するため、前記型枠用バタ材の仮置金具に一旦預けた後、一面のコンクリートユニット型枠と共に直上階に吊上げて移動することを利点とする、型枠用バタ材の仮置金具が提案されている。（例えば、特許文献３参照。）
【０００８】
しかしながら、前述する第1のコンクリートユニット型枠スライド工法におけるコンクリートユニット型枠の支持作業に際しては、押さえ金具に取付けられる敷きバタ材であるバタ角を、基礎となる既打設コンクリートの天端との水準を調整するため各階層ごとに、該押さえ金具の上下位置の調整を必要とし、かつ、単体のコンクリート型枠を敷きバタ材であるバタ角に固定するための面通しに時間を要することになるのみならず、コンクリート型枠の連接部および、該敷きバタ材であるバタ角にコンクリート型枠を、釘、鎹等を使用して固定あるいは組み返しを各階層ごとに実施されることから、型枠の損傷を生起し、その補修等に時間と経費を要することになる。
【０００９】
また、第２のコンクリートユニット型枠スライド工法にあっては、コンクリートユニット型枠における上下部分に設けた、分離可能な横せき板を切り離し、あるいは、組み込みを交互に行うという煩雑な作業を伴うものであり、コンクリート型枠の構造が複雑になるという欠点を有するものである。
【００１０】
さらに、第３のコンクリートユニット型枠スライド工法における上下の横バタ材の移設にあっては、前記横バタ材をコンクリートユニット型枠に取付けられた型枠用バタ材の仮置金具に一旦預けた後、横バタ材をコンクリートユニット型枠と共にスライド移動させる方法であり、横バタ材の移送手間を省略化する上で効果的なものであるが、他方、一旦預けた横バタ材を使用に際しては、所要箇所に戻し成すことから作業に手間取ることになる。
【００１１】
また、コンクリートユニット型枠スライド工法におけるコンクリート型枠の背面を支持する上下の横バタ材の締結にあっては、丸棒状セパレータに装着したコーンカップの軸足部分をコンクリートユニット型枠せき板に形成されたセパレータの挿通孔に挿し込みフォームタイを螺合せしめ、前記横バタ材を押圧固定するが、これによっては、コンクリート面から突出する丸棒状セパレータに装着するコーンカップの軸足部分がコンクリート型枠せき板に絡み脱型に困難を要することから、前記コーンカップの軸足部分を分離可能にするための別途軸足セパレータを螺合により連結し、コンクリート型枠を残置した状態で、前記軸足セパレータをネジ回し工具等を用いて取外し、脱型を容易にする方法が採用されている。しかし、前記軸足セパレータを取外すためには、障害となるフォームタイを解除することになり、そのため、前記横バタ材を一旦移動させなくてはならない欠点を有するものである。
【００１２】
さらに、前述したフォームタイにあっては、丸棒状セパレータに装着したコーンカップの軸足を、コンクリート型枠せき板に形成されたセパレータ挿通孔に挿し込み、フォームタイを螺合せしめ、ネジ杆のナットを締付て上下の横バタ材を締結することになるが、コンクリート型枠の縦リブあるいは中間リブの中央近傍部にフォームタイが位置付く場合にあっては、前記ナットの締め過ぎによりコンクリート型枠せき板が上下の横バタ材側に引っ張られて湾曲状に変形することがあり、その変形を防止するため、コンクリート型枠せき板と上下の横バタ材の間に介在させる略直方体のせき板変形防止用スペーサが提案されている。（例えば、特許文献４参照。）また、別の方法として前記スペーサを省略するため、コンクリート型枠締付金具のバタ材締付け部であるネジ杆の規定する位置に、ストッパー部材を固着し、ネジ杆の締め過ぎを規制するコンクリート型枠締付金具が提案されている。（例えば、特許文献５参照。）
【特許文献１】特開平１０−３１７６６８号公報
【特許文献２】実開平０６−００８３７７号公報
【特許文献３】特開平０９−２９１７０１号公報
【特許文献４】特開２００５−１７１６６２号公報
【特許文献５】特開２００５−６１１２６号公報
【特許文献６】特開２００６−２０７３６７号公報
【非特許文献１】岡部株式会社発行「製品カタログＮＯ３コンクリート型枠編」
【非特許文献２】株式会社建設安全センター発行「新訂・建築工事計画設置届作成の手引き」
【発明の開示】
【発明が解決しようとする課題】
【００１３】
本発明にあっては、前述の諸点に鑑みなされたもので、コンクリートユニット型枠の構築に際して、コンクリートユニット型枠の構築作業を合理化するに、躯体において上下階層が同面の外壁等では躯体壁面と仮設足場建地とのすき間が墜落防止の安全確保のため２５０ミリ以下で設計されるなど、型枠資材の仮置きスペースの確保が困難であることなどから、コンクリート型枠組立解体作業が煩雑になり不合理となる、そのため、コンクリート型枠の組立解体作業の煩雑さを解消させるための一括して移設するコンクリートユニット型枠スライド工法、およびコンクリートユニット型枠の構築に用いる新規な金具を提供するものである。
【課題を解決するための手段】
【００１４】
前述の課題を解決するための本発明にかかるコンクリートユニット型枠スライド工法の構成にあっては、上下階層が同面の外壁等におけるコンクリートユニット型枠を構築し、コンクリート打設後、直上階にスライド移設する工法であって、既打設部の最上部にあるスラブ引き用のセパレータあるいは板状セパレータを残置せしめ、このセパレータに型枠を受止めるコンクリートユニット型枠の支持金具を締結し、該コンクリートユニット型枠の支持金具にスライド移動させたコンクリートユニット型枠を載置するとともに、このコンクリートユニット型枠の支持金具に具備された締付金具により打設されたコンクリート躯体面に、コンクリートユニット型枠の下端部を押圧挟持せしめるようにした点に存するものである。
【００１５】
また、コンクリートユニット型枠の下端部の適宜位置に吊下げ金具を固定し、他方、上端部の適宜位置に前記吊下げ金具に対応して玉掛用ロープを案内するガイド金具を固定し、一方、コンクリート既打設部の最上部において、コンクリートユニット型枠を安定的に誘導するためのスキッド金具を取付けることにより、コンクリートユニット型枠吊上げ作業の安全性を向上させる点に存するものである。
【００１６】
さらに、コンクリートユニット型枠の背面に設置されるコンクリート荷重を支持する上下の横バタ材を包囲収容する、横バタ材ホールド金具をコンクリートユニット型枠の縦リブあるいは中間リブに取付け、上下の横バタ材をその取付け位置の近傍に保持しつつ、横バタ材をコンクリート型枠と共に吊上げてスライド移動せしめるようにした点に存するものである。
【００１７】
本発明にかかるコンクリートユニット型枠の支持金具にあっては、コンクリートユニット型枠の下端部を受止めて固定するためであり、既打設コンクリートの最上部に残置したスラブ引き用のセパレータあるいは板状セパレータに連結する締結金具によって締結する固定脚部を有し、前記固定脚部の上部においてコンクリートユニット型枠の下端部分を押圧挟持するために進退自在の締付金具を具備することで、既設のコンクリート打設面を基準とし、型枠を固定する操作によって平滑性を維持せしめ、コンクリート打ち継ぎ面の目違いを防止し得、施工精度および施工能率を向上させる効果を有するようにした点に存するものである。
【００１８】
本発明にかかるコンクリート型枠締付金具にあっては、スラブ引き用のセパレータあるいは板状セパレータに挿し込み連結するＵ字型の連結部材に、スラブ引き用のセパレータあるいは板状セパレータに形成されているスリット状の透孔に合致するスリット状の透孔を設け、クサビを挿し込み連結してなる前記連結部材の後部に、上下の横バタ材を押圧固定するための座板を介してナットを螺合してなるネジ杆を固着し、前記ネジ杆に螺合したナットの回転により上下の横バタ材を押圧固定した点に存するものである。
【００１９】
また、前述した連結部材にあって、上下の横バタ材を収容する横バタ材ホールド金具に、上下の横バタ材を保存した状態で、コンクリート型枠せき板に絡むスラブ引き用のセパレータあるいは板状セパレータの不要部分をコンクリート面からはみださない位置に形成された破断部から捩切ることを可能にするため、コンクリート型枠せき板に穿孔されたスラブ引き用のセパレータあるいは板状セパレータ挿通孔の孔心とスラブ引き用のセパレータあるいは板状セパレータの軸心を一致させる必要があり、そのため、スラブ引き用のセパレータあるいは板状セパレータに連結するＵ字型に屈曲形成した連結部材の先端部に、スラブ引き用のセパレータあるいは板状セパレータの挿通孔に嵌合するように嘴状に形成した軸受け部を設け、かつ、軸受け部の段部に係止する座金を嵌着し、前記軸受け部をコンクリート型枠せき板に穿孔されたスラブ引き用のセパレータあるいは板状セパレータの挿通孔に挿し込み、スラブ引き用のセパレータあるいは板状セパレータと連結することで、スラブ引き用のセパレータあるいは板状セパレータの軸心がスラブ引き用のセパレータあるいは板状セパレータの挿通孔に支持されることによって、スラブ引き用のセパレータあるいは板状セパレータの回転が円滑になり、コンクリート型枠せき板を残置した状態でスラブ引き用のセパレータあるいは板状セパレータの不要部分を回転させて捩切ることを可能にした点に存するものである。
【００２０】
さらに、コンクリート型枠の縦リブあるいは中間リブ間の中央近傍部にコンクリート型枠締付金具が位置付く場合にあっては、ネジ杆の締め過ぎによりコンクリート型枠せき板が上下の横バタ材側に引っ張られて湾曲状に変形することがある、その変形を防止するため、コンクリート型枠連結部の軸受け部に設けた座金とクサビの距離を規定することでコンクリート型枠せき板に影響を与えなくする、言い換えれば、上下の横バタ材を押圧固定した状態において、前記座金がコンクリート型枠せき板に当接する接点とクサビが上下の横バタ材に当接する接点、即ち、接点間の距離寸法が、縦リブあるいは中間リブの見込み寸法（図中Ｌ）と等しくなるように形成することで、前記ネジ杆の締め過ぎ力を上下の横バタ材を介してクサビが受止めることからコンクリート型枠せき板に影響を与えないようにした点に存するものである。
【００２１】
本発明にかかる横バタ材ホールド金具にあっては、上下の横バタ材を収容する空間部を有するコ字型の包囲部材に、前記空間を分割するように上下の横バタ材を分離支持する中間受け材を設け、かつ、包囲部材の上下の脚部に、コンクリート型枠の縦リブあるいは中間リブに固定するための固定孔あるいは挟着締付金物を設けてなる該横バタ材ホールド金具を、コンクリート型枠締付金具によって固定された上下の横バタ材に挿し込み、コンクリートユニット型枠の縦リブあるいは中間リブに固定する。これによって、打設したコンクリートの養生が完了した後、上下の横バタ材の緊締を解除することにより、上下の横バタ材ホールド金具に保存されるようにした点に存するものである。
【発明の効果】
【００２２】
本発明にかかる、コンクリートユニット型枠のスライド工法にあっては、コンクリート型枠を受止めるコンクリートユニット型枠の支持金具としてスラブ引き用のセパレータあるいは板状セパレータへの取付け位置を調整可能とするための、前記スラブ引き用のセパレータあるいは板状セパレータを跨座する固定脚部に対してコンクリートユニット型枠の下端部を、コンクリートの躯体面へ押圧挟持する形態の進退自在の締結金具を具備せしめることによって、コンクリートユニット型枠の支持部分を簡易に、かつ、確実に構成することが可能となる。その結果、施工精度および施工能率を向上させることになる。
【００２３】
また、コンクリート打設後において一体に構築されたコンクリートユニット型枠を直上階にスライド移動するに際しては、コンクリートユニット型枠の分離脱型を容易にするため、コンクリートユニット型枠せき板に絡むスラブ引き用のセパレータあるいは板状セパレータの不要部分を除去することになる、そのため、横バタ材ホールド金具を用いることでコンクリート型枠締付金具を解除すると上下の横バタ材が前記横バタ材ホールド金具に保存される、そこで、コンクリートユニット型枠せき板に絡むスラブ引き用のセパレータあるいは板状セパレータの不要部分を、回し工具を用いて除去することでコンクリートユニット型枠の分離脱型が容易となる。また、コンクリートユニット型枠のスライド時において上下の横バタ材をその取付け位置の近傍に保持しつつ、コンクリートユニット型枠と一体的に移動せしめることが可能になるとともに、コンクリートユニット型枠の締結作業時において、直ちに上下の横バタ材の締付作業をなし得ることになる。その結果、高所作業である仮設足場上において、横バタ材の解体あるいは所要個所に戻す（組み返す）作業が省略化されることから、作業の安全を確保し、能率的に施工できる合理的効果をなし得ることになる。
【００２４】
さらに、コンクリートユニット型枠のスライド時にあっては、コンクリートユニット型枠の下端部の適宜位置に吊下げ金具を固定し、他方、上端部の適宜位置に前記吊下げ金具に対応して玉掛用ロープを案内するガイド金具を固定し、一方、既打設コンクリート躯体の最上部にコンクリートユニット型枠を安定的に誘導するスキッド金具を固定することによって、コンクリートユニット型枠のスライド移動時における吊上げ作業の安全性を向上させることになる。
【００２５】
本発明にかかる、コンクリートユニット型枠の支持金具にあっては、コンクリートユニット型枠をスライドさせて直上階へ移動して固定するに際して、コンクリート既打設部に残置してなるスラブ引き用のセパレータあるいは板状セパレータに連結して用いる締結金具により、コンクリートユニット型枠を受止めるコンクリートユニット型枠の支持金具を固定し、前記コンクリートユニット型枠の支持金具にコンクリートユニット型枠を載置するとともに、コンクリートユニット型枠の下端部をコンクリートユニット型枠の支持金具によって押圧挟持せしめることで、型枠組立の固定作業を簡便化なさしめ、従来手数を要していたコンクリート型枠の相互間における位置調整である高さ方向および連設方向、所謂、型枠の食違いを防止する面通しの作業が、既設のコンクリート打設面を基準として倣うことから、型枠を固定する操作によって平滑性を維持せしめることが可能となり、コンクリート打ち継ぎ面の目違いを防止し得、施工精度および施工能率を向上させる効果を得ることになる。
【００２６】
本発明にかかる、コンクリート型枠締付金具にあっては、板状セパレータあるいはスラブ引き用のセパレータに有するスリット状の透孔に挿し込み連結するためのＵ字型の連結部に、クサビを挿し込み連結するためのスリット状の透孔を設けてなる連結部材の後部に、上下の横バタ材を押圧固定するための座板を介してナットを螺合してなるネジ杆を固着し、前記ネジ杆に螺合したナットにより上下の横バタ材を押圧固定する構造とし、尚、前記連結部材の先端部にスラブ引き用のセパレータあるいは板状セパレータの軸心を支持するための嘴状の軸受け部を形成する。これによって、前記軸受け部を、コンクリート型枠せき板のスラブ引き用のセパレータあるいは板状セパレータの挿通孔に嵌合せしめてスラブ引き用のセパレータあるいは板状セパレータに連結することで、スラブ引き用のセパレータあるいは板状セパレータの挿通孔により、スラブ引き用のセパレータあるいは板状セパレータの軸心が支持されることから、コンクリート型枠せき板に絡むスラブ引き用のセパレータあるいは板状セパレータの不要部分を、コンクリート型枠せき板を残置した状態でコンクリート躯体面からはみださない位置に形成されたスラブ引き用のセパレータあるいは板状セパレータの破断部から捩切り除去することが可能となる。その結果、脱型作業が簡素化されることから、コンクリート型枠の損傷も少なくなり転用回数を増加させる効果を得ることになる。
【００２７】
また、前記コンクリート型枠締付金具のスラブ引き用のセパレータあるいは板状セパレータに連結するクサビの下部に長孔を設け、横バタ材仮受け金具を掛止固定し、下の横バタ材を仮受けすることにより、コンクリートユニット型枠の構築時に際して、長尺物である横バタ材の取付け作業を安全で比較的簡単に行うことができ、特に、一人作業において有利となり、安全性の向上および施工の合理的効果を得ることになる。
【００２８】
さらに、コンクリート型枠締付金具の連結部材の軸受け部に設けられた段部に係止する座金がコンクリート型枠せき板に当接する接点とスラブ引き用のセパレータあるいは板状セパレータに連結するためのクサビが、上下の横バタ材に当接する接点、換言すれば、せき板に当接する座金の接点と上下の横バタ材に当接するクサビの接点が、縦リブおよび中間リブの見込み寸法（図中Ｌ）に等しくなるように形成する。その結果、前記クサビがネジ杆の締め過ぎ力を、上下の横バタ材を介して受止めることから、コンクリート型枠せき板に影響を与えなくなり、規定する平坦なコンクリート面を形成することになる。
【００２９】
本発明にかかる横バタ材ホールド金具にあっては、上下の横バタ材を収容する空間部を有するコ字型の包囲部材に、前記空間を分割するように上下の横バタ材を分離支持する中間受け材を設け、かつ、包囲部材の上下の脚部に、コンクリート型枠の縦リブあるいは中間リブに固定するための固定孔あるいは挟着締付金物を設けてなる該横バタ材ホールド金具を、コンクリート型枠締付金具によって固定された上下の横バタ材に挿し込み、コンクリートユニット型枠の縦リブあるいは中間リブに固定する。これによって、打設したコンクリートの養生が完了した後、上下の横バタ材の締結を解除することにより上下の横バタ材が横バタ材ホールド金具に保存されることになり、そこで、横バタ材ホールド金具に保存されている上側の横バタ材を僅かに持ち上げて横バタ材間のすき間を広げ、スラブ引き用のセパレータあるいは板状セパレータの躯体から突出する部分に回し工具を挿し込み回転させることでスラブ引き用のセパレータあるいは板状セパレータの破断部から破断することが可能となる、換言すれば、コンクリート躯体面よりはみださない位置に設けられた破断部から除去することが可能となる。その結果、コンクリートユニット型枠のせき板に絡むスラブ引き用のセパレータあるいは板状セパレータの不要部分を除去することで、コンクリートユニット型枠の分離性が良くなり、脱型作業を大幅に向上させることともに、脱型時の過大な衝撃を与えることもなくなることから損傷も少なくなり、コンクリート型枠の転用回数を増加させる効果を得ることになる。さらに、危険性の大きい仮設足場上の高所作業において、長尺物である上下の横バタ材の移設あるいは所要個所に戻し成す（組み返す）作業を省略化することで、安全管理、工程管理等の合理化による施工費のコストダウンも大きく、飛躍的な実用効果を得ることになる。
【実施例１】
【００３０】
本発明にかかる、コンクリートユニット型枠スライド工法およびコンクリートユニット型枠の支持金具およびコンクリート型枠締付金具および横バタ材ホールド金具について説明するに、図の実施例にあってはコンクリート型枠１として従来から多用される、木製のコンクリート型枠１を使用することを基本的に説明するものであるが、これに限らず金属製あるいは合成樹脂製等のコンクリート型枠を使用する場合も可能であることを理解されたい。
【００３１】
以下、図示の実施例に基づいて本発明にかかるコンクリートユニット型枠スライド工法およびコンクリートユニット型枠に用いる部品あるいは構成金具について説明するが、限定する意味に解する意図のものではなく、本発明の技術的思想を逸脱しない範囲において、設計変更をなしうるものである。
【００３２】
また、実施例において使用する板状セパレータ２および、該板状セパレータ２に挿着する受止め板３およびコーンカップ４は、本出願人が特開２００６−２０７３６７において提案するものであり、前記板状セパレータ２については、破断部５において両端縁を欠取り断面を欠損させることで、容易に捩って切り取ることの出来る形態の板状セパレータ２である。
【００３３】
さらに、骨格となる縦リブ６、上下の縁リブ７、８、中間リブ９に、木質合板あるいは合成樹脂板等のせき板１０をビスあるいは釘等の固定部材で固定するが、せき板１０は使用頻度に伴い損傷あるいは老化が激しいため定期的に取替えることになる。したがって、リブ材が金属製の場合においては釘打ち固定などが困難であり、皿頭のネジボルトを使用することになるが、しかしながら、皿頭に形成されたドライバーの係止溝は打設されたコンクリートにより充填され係止溝の使用ができなくなる、そのため、皿頭のネジボルトの係止ができなくなりナットを回転させると空回り（共回り）する、そこで、ネジボルト部分の軸部にそって一部が平坦となる皿頭のネジボルト（図面省略）を使用することで、該ネジボルトの空回りを防止することになる、詳しくは、ネジボルト軸部の一部が平坦となる皿頭のネジボルトが嵌合する形状の固定孔を、骨格となる縦リブ６、上下の縁リブ７、８、中間リブ９に穿設し、木質合板等のせき板１０を固定することで、該ネジボルトの空回り（共回り）を防止することになり、ナットのみを回転させることでネジボルトの抜取を可能にする。
【００３４】
さらにまた、コンクリート型枠は、木質製あるいは金属製による、骨格となる縦リブ６、上下の縁リブ７、８、中間リブ９に、木質合板あるいは合成樹脂板等のせき板１０を釘あるいはビス、ネジボルト等の固定部材で固定しているが、これに限らず、骨格となる縦リブ６、上下の縁リブ７、８、中間リブ９と、せき板１０を一体に形成した合成樹脂型枠あるいはメタルフォーム型枠等の使用も可能である。
【００３５】
本発明にかかる、図１〜図１９に示す、実施例に基づきコンクリートユニット型枠スライド工法について説明するに、コンクリートユニット型枠においては、図１に示すように単体のコンクリート型枠１を複数枚配列し、縦リグ６同士を、釘、鎹、クリップ金具等の適宜の固定部材を用いて連結してユニット化するのであって、そのコンクリート打設面には上下端縁から所定の高さ位置に一対の打ち継ぎ目地棒１１，１２が固定されてなり、さらに、下端部には、連結するコンクリート型枠１を載置するための、基台となる、金属製あるいは木製の敷きバタ材１３を、ビスあるいはネジボルト等により固定されてなり、また、背面側には打設されるコンクリートの荷重を支持する丸鋼管あるいは角鋼管等の上下の横バタ材１４，１５を強度計算に基づいて配置し、その横バタ材を、コンクリートユニット型枠を緊締するスラブ引き用のセパレータ１６あるいは板状セパレータ２とコンクリート型枠締付金具１７を用いて締付固定する。
【００３６】
また、コンクリートユニット型枠には、固定された上下の横バタ材１４，１５を包囲収容するため、該横バタ材を包囲するように、略ヨ型の横バタ材ホールド金具１８が、コンクリート型枠の縦リブ６あるいは中間リブ９に対して適宜の固定手段、例えば、挟着締付金物あるいはビス、ネジボルト等の固定方法により取付け固定される。これによって、打設したコンクリートの養生が完了した後、横バタ材の締結を解除すると、該横バタ材ホールド金具１８に保存状態となる、そこで、横バタ材１４，１５上下のすき間から回し工具１９を挿し込み、コンクリート型枠せき板１０に絡むスラブ引き用のセパレータ１６あるいは板状セパレータ２をコンクリート面からはみださない位置に形成された破断部５から捩切り除去する。その結果、コンクリート打設後のコンクリートとコンクリートユニット型枠の分離性がよくなり脱型が容易になるとともに、コンクリートユニット型枠のスライド時において上下の横バタ材１４，１５をその取付け位置の近傍に保持しつつ、コンクリートユニット型枠と一体的に吊上げることから、上下の横バタ材１４，１５の解体あるいは所要個所に戻す（組み返す）作業が省略化されることになる。
【００３７】
さらに、コンクリートユニット型枠の背面に設置されているコンクリート荷重を支持する上下の横バタ材１４，１５を包囲収容する横バタ材ホールド金具１８をコンクリートユニット型枠の適宜位置に設け、コンクリートユニット型枠のスライド時において、上下の横バタ材１４，１５をその取付け位置の近傍に保持しつつ、コンクリートユニット型枠と一体的に吊上げることができることから、コンクリートユニット型枠の締結作業において、直ちに上下の横バタ材１４，１５の締付作業をなし得ることになる。その結果、危険性の大きい仮設足場２０上の高所作業において、長尺物である上下の横バタ材１４，１５の移設あるいは所要個所に戻し成す（組み返す）作業を省略化することで、安全管理、工程管理等の合理化による施工費のコストダウンも大きく、飛躍的な実用効果を得ることになる。
【００３８】
さらにまた、コンクリートユニット型枠には、その下端において基台となる敷きバタ材１３が固定されているコンクリートユニット型枠に、コンクリートユニット型枠の支持金具２１における、締付金具２２の押圧力をコンクリートユニット型枠に伝達するための一気通貫性のバタ材２３がコンクリートユニット型枠の下端部側面に配置され、このバタ材２３を抱持するように、コンクリートユニット型枠を吊上げるために用いる、玉掛用ロープ２４を取付けるための、図１４、図１５に示すような鉤状あるいは大略釣り針状の吊下げ金具２５がビスあるいはネジボルト等の固定部材によってコンクリートユニット型枠の適宜位置、例えば、コンクリートユニット型枠の幅に対して２個所以上、または、安定を支持するに足りるだけの個所にバランス良く配置固定されている。これによって、コンクリートユニット型枠の吊元における玉掛け作業を迅速化することになる。
【００３９】
尚、コンクリートユニット型枠の最上部には、前述した吊下げ金具２５に対応して、コンクリートユニット型枠のスライド移動に使用される、玉掛用ロープ２４を案内するガイド金具２６がコンクリートユニット型枠を吊上げるに際してバランスよく吊下げ得る位置に固定されている。また、既打設コンクリート躯体２７の最上部には、コンクリートユニット型枠の移動を安定的に誘導するためのスキッド金具２８がネジボルト等の固定部材により固定されている。
【００４０】
前述したスキッド金具２８は、コンクリートユニット型枠の支持金具２１を固定するための最上段に残された、コンクリート躯体２７から突出したスラブ引き用のセパレータ１６あるいは板状セパレータ２との接触防止のためであり、固定位置は特に限定するものでなく、２点以上、かつ、適宜位置に固定すればよい。
【００４１】
図において、躯体２７はコンクリート躯体を示すもので、例えば、打設済みの基礎あるいは建築段階における下層階に相当するもので、直上階におけるコンクリート躯体２７aを打設するに際して、コンクリート型枠１の間隔を保持するために使用された図３に示すスラブ引き用のセパレータ１６あるいは、図４に示す板状セパレータ２のうち最上部にセットされたスラブ引き用のセパレータ１６あるいは板状セパレータ２を、コンクリート躯体２７から突出する前記スラブ引き用のセパレータ１６あるいは板状セパレータ２にコンクリートユニット型枠を受けるコンクリートユニット型枠の支持金具２１を装着する。
【００４２】
前述するスラブ引き用のセパレータ１６は、図３に示すように板状セパレータ２の片方後端部に釘、ネジボルト等の挿入する小孔２９を穿設してなり、そのスラブ引き用のセパレータ１６をスラブを受けるコンクリート型枠のせき板１０ａあるいは縁リブ７ａにスペーサブロック３０を介して釘、ネジボルト等の固定部材により固定している。しかし、前記スペーサブロック３０は、スラブ引き用のセパレータ１６をコンクリートの被覆により防錆のためであり、その必要性が無い場合は不要であることを理解されたい。
【００４３】
前述するコンクリートユニット型枠の支持金具２１は、コンクリート既打設部の最上部にあるスラブ引き用のセパレータ１６あるいは板状セパレータ２を残置せしめ、このセパレータにコンクリートユニット型枠２１の支持金具を装着し、該コンクリートユニット型枠の支持金具２１にスライド移動させたコンクリート型枠を載置するとともに、コンクリートユニット型枠の支持金具２１に設けられた締付金具２２により打設されたコンクリート面に、コンクリートユニット型枠の下端部を押圧挟持せしめることで、従来手数を要していたコンクリート型枠の相互間における位置調整である高さ方向および連設方向、所謂、型枠の食違いを防止する面通しの作業が、既設のコンクリート打設面を基準として倣うことから、型枠を固定する操作によって平滑性を維持せしめることが可能となり、コンクリート打ち継ぎ面の目違いを防止し得、施工精度および施工能率を向上させる効果を得ることになる。
【００４４】
さらに、コンクリートユニット型枠の下端部の適宜位置に吊下げ金具２５を固定し、他方、コンクリートユニット型枠の上端部の適宜位置に前記吊下げ金具２５に対応して玉掛用ロープ２４を案内するガイド金具２６を固定し、一方、コンクリート既打設部の最上部にコンクリートユニット型枠を安定的に誘導するスキッド金具２８を取付けることで、吊上げ作業時において、コンクリートユニット型枠の安定性を支持することとなり、作業の安全性も向上させることになる。
【００４５】
本発明にかかるコンクリートユニット型枠スライド工法についての構成あるいは施工手順については、先ず、打設済みの基礎に相当するコンクリート躯体２７の、コンクリート打設時に使用された、最上部にセットされたスラブ引き用のセパレータ１６あるいは板状セパレータ２に締結金具３１を連結し、その締結金具３１により、コンクリートユニット型枠の支持金具２１の固定脚部３２を所定の個所に位置付け、前記締結金具３１のネジ杆３３に螺合するナット３４を締付ることにより押圧挟持する。
【００４６】
その後、コンクリートユニット型枠の支持金具２１に、基台となる敷きバタ材１３を載置し、１枚目のコンクリート型枠１を、手持ち移動あるいは起重機、クレーン等により吊上げて、既設コンクリート躯体２７の側面と締付金具２２とによって形成される空間に、コンクリート型枠１を搬入し、コンクリート型枠１のせき板１０の前面に固定した下部の目地棒１２が、先のコンクリート打設時において形成された目地溝３５に係合するように敷きバタ材１３の上に建て込み、コンクリートユニット型枠の支持金具２１の上部に設けられた締付金具２２の軸ボルト３６を回転させると、前記軸ボルト３６の前進に伴ってその先端に取付けられてなる座板３７によって、一気通貫性を支持するバタ材２３を押付け、コンクリートユニット型枠の下端部を押圧挟持する。これを順次、コンクリート型枠１ａ、２ｂと建て込みながら、相対する縦リブ６同士を適宜の固定手段により固定する（例えば、釘あるいはネジボルトあるいはクリップ金具を用いて固定する。）ことで、既設コンクリート躯体２７面を、基準としてコンクリート型枠１が一面に配列固定した状態になる。
【００４７】
引き続き、コンクリートユニット型枠の倒れ防止のため、一般に使用されている市販品の仮設控え金具３８を用いるか、あるいは、適宜の補強手段により、補強するとともに垂直（建てり）調整を行い、次いで、コンクリート型枠１の下の縁リブ８を敷きバタ材１３にビスあるいはネジボルト等により固定して一体化にする、次いで、スラブ引き用のセパレータ１６あるいは板状セパレータ２に装着したコーンカップ４とコンクリート型枠締付金具１７の連結部材３９の軸受け部４０に嵌着する座金４１で、コンクリート型枠せき板１０を挟み込み、クサビ４２を用いて前記スラブ引き用のセパレータ１６あるいは板状セパレータ２とコンクリート型枠締付金具１７を連結し、次いで、クサビ４２に形成された長孔４３に横バタ材仮受け金具４４を掛止し、次いで、上下の横バタ材１４，１５を配置しながら、座板４５を図６に示す想像線（２点鎖線）の位置から垂直に回転させ、ネジ杆４６に螺合するナット４７を回転させて押圧固定することで強固となり、コンクリート荷重による側圧を支持することになる。但し、前記横バタ材仮受け金具４４の使用については、必ずしも必須のものではなく必要性に応じて使用すればよい。
【００４８】
そして、コンクリート躯体２７の強度部材としての配筋を介してコンクリートユニット型枠と対を成すコンクリート躯体２７ａの内壁側のコンクリート型枠４８を図１９に示す想像線（２点鎖線）の位置に構築することで、コンクリート打設の準備を行うことになる。これによって、コンクリートユニット型枠の打設面は、既設コンクリート躯体２７面と連続面を形成することとなり、打設に際して目違いを生じることなく平滑な連続面として、高精度に打設することを可能とする。
【００４９】
この段階で、上下の横バタ材１４，１５を収容する横バタ材ホールド金具１８を、上下の横バタ材１４，１５を包囲するように挿し込み、適宜の固定手段によりコンクリートユニット型枠の縦リブ６あるいは中間リブ９に取付け、次いで、スライド時に使用する玉掛用ロープ２４を係止するための吊下げ金具２５を、コンクリートユニット型枠下端部の適宜位置に固定し、その吊下げ金具２５に対応して、コンクリートユニット型枠の最上部に、吊り下げロープの吊荷フック４９を掛止するための玉掛用ロープ２４を案内するガイド金具２６を取付けることになる。
【００５０】
そこで、コンクリートの打設後において、コンクリートユニット型枠を上層階へスライド移設させる手順について説明するに、コンクリートの養生期間が終了すると、先ず、玉掛用ロープ２４をガイド金具２６のガイド部（案内部）に通し、吊下げ金具２５の係止孔５０にシャックル等の金具を用いて固定する、次いで、起重機、クレーン等から吊下げられたロープ５１の吊荷フック４９を前記玉掛用ロープ２４に掛止する、次いで、スラブ引き用のセパレータ１６あるいは板状セパレータ２に連結されているコンクリート型枠締付金具１７の全てを解除する。これによって、コンクリートユニット型枠の縦リブ６あるいは中間リブ９に固定されている上下の横バタ材１４，１５が横バタ材ホールド金具１８に保存される。
【００５１】
その後、コンクリートユニット型枠のせき板１０に絡むスラブ引き用のセパレータ１６あるいは板状セパレータ２の不要部分を除去するのであるが、最上段に位置するスラブ引き用のセパレータ１６あるいは板状セパレータ２のうち必要とするスラブ引き用のセパレータ１６あるいは板状セパレータ２を除き、横バタ材ホールド金具１８に保存されている上下の横バタ材１４，１５における上側の横バタ材１４を僅かに持ち上げて上下の横バタ材１４，１５間のすき間を広げ、コンクリート躯体２７から突出するスラブ引き用のセパレータ１６あるいは板状セパレータ２に回し工具１９を挿し込み回転させることで、前記スラブ引き用のセパレータ１６あるいは板状セパレータ２の破断部５から破断する、即ち、コンクリート面からはみださない位置に形成された破断部５から除去することになり、脱型作業が有利となる。その結果、コンクリートユニット型枠のせき板１０に絡むスラブ引き用のセパレータ１６あるいは板状セパレータ２の不要部分が除去されることから、コンクリートユニット型枠の分離性が良くなり、脱型作業を大幅に向上させることともに、脱型を容易にすることから損傷も少なくなり、コンクリート型枠の転用回数を増加させる効果を得ることになる。
【００５２】
次いで、コンクリートユニット型枠下端部に位置する、コンクリートユニット型枠の支持金具４の上部に設けられた締付金具２２の軸ボルト３６を回転させて後退し、コンクリートユニット型枠の最上部を、掛け矢等で軽く叩き出す、次いで、最上段に残置されたスラブ引き用のセパレータ１６あるいは板状セパレータ２の近傍にスキッド金具２８を速やかに取付け、このスキッド金具２８のスキッド部材５２にコンクリートユニット型枠を凭らしながら起重機、クレーン等により直上階の所定の位置まで吊上げると、スキッド金具２８を速やかに取外し、しかる後、先に形成されたコンクリート躯体２７の打ち継ぎ目地溝３５に、コンクリートユニット型枠下方の目地棒１２を合致せしめ、コンクリート躯体２７のスラブ引き用のセパレータ１６あるいは板状セパレータ２に締結金具３１を連結してコンクリートユニット型枠の支持金具２１を所定個所に位置付け、前記締結金具３１のネジ杆３３に螺合するナット３４により締付て押圧挟持する、次いで、コンクリートユニット型枠の支持金具２１の耐圧プレート５３に具備する締付金具２２の軸ボルト３６を回転させると、前記軸ボルト３６の前進に伴って、その先端に取付けられてなる座板３７によって、一気通貫性を支持するバタ材２３を押付け、コンクリートユニット型枠の下端部を押圧挟持することになる。（図１８参照。）
【００５３】
引き続き、スライド移設したコンクリートユニット型枠の倒れ防止のため、一般に使用されている市販品の仮設控え金具３８を用いるか、あるいは、適宜の補強手段により、補強するとともに垂直（建てり）調整を行い、次いで、起重機、クレーン等から吊下げられたロープ５１の吊荷フック４９を玉掛用ロープ２４から取外し、しかる後、スラブ引き用のセパレータ１６あるいは板状セパレータ２に装着したコーンカップ４とコンクリート型枠締付金具１７の連結部材３９の軸受け部４０に嵌着する座金４１で、コンクリート型枠せき板１０を挟み込み、クサビ４２を用いて前記スラブ引き用のセパレータ１６あるいは板状セパレータ２とコンクリート型枠締付金具１７を連結し、次いで、横バタ材ホールド金具１８に保存されている上下の横バタ材１４，１５をコンクリート型枠締付金具１７のネジ杆４６に螺合するナット４７を回転させて押圧固定する、次いで、コンクリート躯体２７の強度部材としての配筋を介してコンクリートユニット型枠と対を成すコンクリート躯体２７ａの内壁側のコンクリート型枠４８を図１９に示す想像線（２点鎖線）の位置に構築することで、コンクリート打設の準備を行うことになる。以後は、各階層ごとに前述同様の手順を繰り返す。（図１９参照。）
【００５４】
最終階で使用したコンクリートユニット型枠の解体手順にあっては、起重機、クレーン等から吊下げられたロープ５１の吊荷フック４９を玉掛用ロープ２４に掛止する、次いで、全てのコンクリート型枠締付金具１７を解除し、しかる後、前述同様の解体手順に基づき、横バタ材ホールド金具１８に保存されている上下の横バタ材１４，１５における上側の横バタ材１４を僅かに持ち上げて上下の横バタ材１４，１５間のすき間を広げ、コンクリート躯体２７から突出するスラブ引き用のセパレータ１６あるいは板状セパレータ２に回し工具１９を挿し込み、回転させてスラブ引き用のセパレータ１６あるいは板状セパレータ２の不要部分を捩切り除去し、次いで、コンクリートユニット型枠の下端部に位置する、コンクリートユニット型枠の支持金具２１の上部に設けられた締付金具２２の軸ボルト３６を回転させて後退することにより、コンクリートユニット型枠の脱型が可能となる。その後は、コンクリートユニット型枠の最上部を掛け矢等で、軽く叩き出し、分離されたコンクリートユニット型枠を一体的に屋上あるいは地上等の適切な場所に吊降ろし、横バタ材ホールド金具１８を取外し搬出可能な大きさに解体する。
【００５５】
本発明にかかる、図２〜図５に示す、コンクリートユニット型枠の支持金具２１の構成にあっては、基礎となるコンクリート躯体２７に固定する一対の固定脚部３２を有し、その上部において略Ｌ字型の耐圧プレート５３で、下端部は、巾止め板５４により、スラブ引き用のセパレータ１６（以下、板状セパレータ２と同様の意味に該当する場合は省略こともある。）あるいは板状セパレータ２を挟むように所要の間隔を隔てて一体に固定されてなり、他方、コンクリート躯体２７と接する面においては、接触する馴染みを良くするための木質のスペーサ５５が木ネジ等によって固定されてなる固定脚部３２と、前記固定脚部３２を押圧挟持するための板状セパレータ２に連結する締結金具３１と、前記耐圧プレート５３に具備する締付金具２２により構成されている。
【００５６】
また、図２〜図５に示す、コンクリートユニット型枠の支持金具２１にあっては、スラブ引き用のセパレータ１６あるいは板状セパレータ２に連結する締結金具３１が、固定脚部３２の間に位置するようになし、該スラブ引き用のセパレータ１６あるいは板状セパレータ２に形成されたスリット状の透孔５６と締結金具３１の連結部材５７に形成された、スリット状の透孔５８を合致せしめ、クサビ５９を挿し込み連結し、しかる後、コンクリートユニット型枠の支持金具２１に載置する敷きバタ材１３が、所定の関係を維持するように、即ち、敷きバタ材１３にコンクリートユニット型枠を載置したとき、コンクリートユニット型枠のせき板１０の前面に固定した下部の目地棒１２が、先のコンクリート打設時において、コンクリートユニット型枠の上部の目地棒１１によって成形された目地溝３５に係合せしめ、敷きバタ材１３下面を位置付けるとともに、既設コンクリート躯体２７の側面と締付金具２２との間に、コンクリートユニット型枠および一気通貫性を支持するバタ材２３を収容する空間を形成するようにコンクリートユニット型枠の支持金具２１の全体を上下に動かさせて高さ調整を行い、締結金具３１のネジ杆３３に螺合するナット３４を回転して締付を行い、換言すれば、固定脚部３２の前面に取付けた木質のスペーサ５５を、コンクリート躯体２７に、座板金具６０を介して押圧挟持する、同様の操作をして、コンクリートユニット型枠の幅寸法内において重量を支持するに足るだけの複数個所に対してコンクリートユニット型枠の支持金具２１を固定する。これによって、コンクリートユニット型枠をスライドさせて直上階へ移動して固定するに際して、コンクリートユニット型枠の支持金具２１の耐圧プレート５３の水平部にコンクリートユニット型枠を載置するとともに、コンクリートユニット型枠の下端部をコンクリートユニット型枠の支持金具２１の耐圧プレート５３に具備する締付金具２２よって押圧挟持せしめる。その結果、コンクリート型枠の組立作業を簡便化なさしめ、従来手数を要していたコンクリート型枠の相互間における位置調整である高さ方向および連設方向、所謂、型枠の食違いを防止する面通しの作業が、既設のコンクリート打設面を基準として倣うことから型枠を固定する操作によって平滑性を維持せしめることが可能となり、コンクリート打ち継ぎ面の目違いを防止し得、施工精度および施工能率を向上させる効果を得ることになる。
【００５７】
前述した固定脚部３２は、巾７５ミリ程度の金属板を不等辺Ｌ型状に屈曲形成した、長さ２００ミリ程度の不等辺Ｌ型部材の長辺面が向かい合うように隔てた一対の前記Ｌ型部材の上端部に耐圧プレート５３を溶着固定し、他方、下端部において、上下の巾を一定に保持するための巾止め板５４を溶着固定してなり、短辺面には、小孔６１を穿孔し、木ネジ等により木質のスペーサ５５を固定している。
【００５８】
前述した締結金具３１は、スラブ引き用のセパレータ１６あるいは板状セパレータ２と連結する挿し込み口をＵ字型に屈曲形成した部材に板状セパレータ２と連結するためのスリット状の透孔５８を形成してなる連結部材５７の後部（屈曲部）に、コンクリートユニット型枠の支持金具２１の固定脚部３２を押圧するための座板金具６０を嵌装したネジ杆３３にナット３４を螺合せしめ、末端部をナット３４の外れ防止のための突起６２を形成してなるネジ杆３３を、前記連結部材５７の後部（屈曲部）に溶着固定している。
【００５９】
前述した連結部材５７は、厚み４.５ミリ、巾１８ミリ、長さ１３０ミリ程度の金属材により、スラブ引き用のセパレータ１６あるいは板状セパレータ２の頭部を挟持するようにＵ字型に屈曲形成した上下の脚部に、スラブ引き用のセパレータ１６あるいは板状セパレータ２に形成されたスリット状の透孔５６に合致せしめる位置に、連結用のクサビ５９を挿し込むためのスリット状の透孔５８を穿設している。
【００６０】
前述した座板金具６０は、略コ字型に屈曲形成し、その背面中央部にネジ杆３３を挿入する挿通孔を穿孔し、反対側の両端縁は、固定脚部３２に当接する嵌合溝を図示のように切削形成している。
【００６１】
前述したクサビ５９は、厚み４ミリ、巾２５ミリ、長さ５５ミリ程度の金属材の下部先端部を、該クサビ５９の挿し込みを円滑にするため、テーパー状に切断し、上方の一部を落下防止および撮みを容易にするため、ほぼ二枚重ねに屈曲形成している。
【００６２】
前述した耐圧プレート５３は、厚み１２ミリ、巾３２ミリ程度の金属材により、厚み面が略Ｌ型状になるよう屈曲形成し、垂直部６３の上部位置にメスネジ６４を穿設している。詳しくは、一気通貫性を支持するバタ材２３の軸心となる高さ位置に、軸ボルト３６が螺合するためのメスネジ６４を穿設している。
【００６３】
前述した締付金具２２は、軸ボルト３６の先端に、軸力を集中せしめるための突起６５を略半球状に成形し、その突起６５を座板３７と軸受け部材６６で挟み込み、溶着あるいはリベット等により固着し、その軸ボルト３６を耐圧プレート５３の垂直部６３に形成されているメスネジ６４に螺着し、その末端部は、スッパナ等の工具を係止するための係止部６７を成形している。これによって、軸ボルト３６を回転させ、座板３７を押圧することにより、一気通貫性のバタ材２３を介してコンクリートユニット型枠の下端部をコンクリート躯体２７に押圧挟持することになる。
【００６４】
前述した座板３７は、巾６０ミリ、高さ８０ミリ程度の金属板により、一気通貫性を支持する円形状のバタ材２３を嵌合するため、深さの少ない下方の翼部が長くなるように略ハット形状に屈曲形成してなる部材の、その下方に、木ネジ等の固定孔６８を穿孔し、その固定孔６８に木ネジ等を用いてバタ材２３の高さを調整する枕木６９を固定している。その座板３７の両翼部には、後述する軸ボルト３６の軸力を集中させるための略半球状の突起６５を包囲するように挟み込み、軸受け部材６６が溶着あるいはリベット等により固着されることになる。
【００６５】
前述した軸受け部材６６は、巾４０ミリ、長さ９０ミリ程度の金属板により、軸ボルト３６の先端に成形されている略半球状の突起６５を包囲するための空間を有するハット形状に屈曲形成し、その突部中央に軸ボルト３６を挿通するための挿通孔を穿孔している。その軸受け部材６６の両翼部を、前述した一気通貫性を支持するバタ材２３を押圧する座板３７の両翼部に溶着あるいはリベット等により固着することになる。
【００６６】
本発明にかかる、図６〜図８に示す、コンクリート型枠締付金具１７にあっては、スラブ引き用のセパレータ１６あるいは板状セパレータ２に連結するための挿し込み口をＵ字型に屈曲形成した部材に、クサビ４２を用いて板状セパレータ２と連結固定するためのスリット状の透孔７０を穿設し、前記部材の先端部に、スラブ引き用のセパレータ１６あるいは板状セパレータ２の軸心を支持する軸受け部４０を形成してなる連結部材３９の後部（屈曲部）に、上下の横バタ材１４，１５を押圧するための座板５２が介在するナット４７を螺合したネジ杆４６を固着している。
【００６７】
加えて、連結部材３９先端の軸受け部４０に形成された段部７１には、コンクリート型枠せき板１０に当接する当接面を拡大するための、座金４１を嵌着している。
【００６８】
前述した連結部材３９は、厚み４.５ミリ、巾２２ミリ、長さ１５０ミリ程度の金属材を、スラブ引き用のセパレータ１６あるいは板状セパレータ２の頭部を挟持するようにＵ字型に屈曲形成した部材にクサビ４２を挿し込むための板状セパレータ２に連結するスリット状の透孔７０を穿設し、前記部材の先端部を、板状セパレータ２の軸心を支持するための軸受け部４０を嘴状に切削形成し、かつ、前記軸受け部４０に形成された段部７１に係止する座金４１を嵌着している。これによって、前記軸受け部４０をコンクリート型枠せき板１０に形成された板状セパレータ２の挿通孔７２に挿し込み、板状セパレータ２と連結することで、前記挿通孔７２の孔心と板状セパレータ２の軸心が一致することから、コンクリート型枠せき板１０に形成された板状セパレータ２の挿通孔７２の孔心に対して、板状セパレータ２の回転が可能となり、型枠せき板１０を残置した状態で板状セパレータ２の不要部分を回転させて捩じると、コンクリート面からはみださない位置に形成されている板状セパレータ２の破断部５から捩切れる。その結果、打設後のコンクリートとコンクリート型枠せき板１０に絡む板状セパレータ２の不要部分を除去することで、コンクリートユニット型枠の脱型が容易とる。
【００６９】
また、連結部材３９のスリット状の透孔７０位置については、上下の横バタ材１４，１５を締付た状態において、コンクリート型枠せき板１０に当接する座金４１の接点と上下の横バタ材１４，１５に当接するクサビ４２の接点間の距離寸法がコンクリート型枠１の縦リブ６および中間リブ９の見込み寸法（図中Ｌ）に等しくする、言い換えれば、せき板１０に当接する座金４１の接点と上下の横バタ材１４，１５に当接するクサビ４２の接点間の寸法が、縦リブ６および中間リブ９の見込み寸法（図中Ｌ）に等しくなる。これによって、コンクリート型枠締付金具１７が縦リブ６および中間リブ９の中央近傍にある場合にあって、コンクリート型枠締付金具１７のネジ杆４６に螺合するナット４７の締め過ぎによりコンクリート型枠せき板１０が上下の横バタ材１４，１５側に引っ張られて湾曲状に変形することを、前記クサビ４２がネジ杆４６の締め過ぎ力を、上下の横バタ材１４，１５を介して受止めて支持することで、コンクリート型枠せき板１０に影響を与えなくなり、その結果、コンクリート型枠せき板１０の原形が維持され、規定する平坦なコンクリート面を形成することになる。
【００７０】
前述したネジ杆４６は、金属板をコ字型に屈曲形成した部材の背面中央部に、該ネジ杆４６の挿通孔７２を穿孔し、反対側の両端縁に丸鋼管あるいは角鋼管等の上下の横バタ材１４，１５に当接する嵌合溝を、図７に示す形状に切削形成してなる座板５２を、前記ネジ杆４６に嵌装し、ナット４７を螺合せしめ、末端部をナット４７の外れ防止のための突起７３を形成している。尚、前記座板５２とナット４７の間にスプリング座金７４を挟むことにより、ナット４７の緩み止めに役立つ。
【００７１】
また、前述したクサビ４２は、厚み４ミリ、巾３０ミリ、長さ１７０ミリ程度の金属材により、長さ方向下部先端をクサビ４２の挿し込みを円滑にするためにテーパー状に切削形成し、上方の一部を落下防止および撮みを容易にするため、ほぼ二枚重ねに屈曲形成し、下方には、後述する横バタ材仮受け金具４４を係止するための長孔４３を穿設している。
【００７２】
前述した横バタ材仮受け金具４４は、一本の金属丸棒を図７に示すように、下横バタ材１５を載置するために、大略Ｌ型ハンガー状に屈曲形成してなる主体の、上方、基端部をクサビ４２に形成された長孔４３に掛止するためのフック７５を屈曲形成し、下方、下の横バタ材１５を載置する載置部の屈曲側を型枠せき板１０に当接せしめることで該横バタ材仮受け金具４４の回動を規制する、他方、末端部７６を下の横バタ材１５の転落を防止するため、僅かに上向きに屈曲形成している。
【００７３】
しかし、前記横バタ材仮受け金具４４の使用については、下横バタ材１５の落下防止および作業性を容易にするためであり、下横バタ材１５の長さに応じて適宜個所に取付ければよい。また、その目的を達することでであれば、必ずしも必須のものではないことを理解されたい。
【００７４】
本発明にかかる、図９に示す、横バタ材ホールド金具１８にあっては、コンクリート型枠に取付く上下の横バタ材１４，１５を、その位置において包囲収容する空間部を形成するための、厚み９ミリ、巾１６ミリ程度の金属材により、巾面がコ字型に屈曲形成してなる包囲部材７７にコンクリート型枠の縦リブ６あるいは中間リブ９に固定するための脚部を上下に設け、その上下の脚部にビス、ネジネジボルト等で固定するための固定孔７８を穿孔し、かつ、該包囲部材７７に上下の横バタ材１４，１５を分離支持するための、厚み３ミリ、巾１６ミリ程度の金属材により、厚み面が略Ｕ字型に屈曲形成してなる中間受け材７９を前記包囲部材７７の空間部である垂直部に挟み込み溶接等により固定するが、その中間受け材７９の位置は、スラブ引き用のセパレータ１６あるいは板状セパレータ２の撤去作業時に、その作業性を阻害することの無いように、言い換えれば、スラブ引き用のセパレータ１６あるいは板状セパレータ２の撤去作業時に用いる回し工具１９を挿入するために、上下の横バタ材１４，１５相互の間隔を広げ得るように、特に、上段側に配置される横バタ材１４の移動量を大きくするように、換言すれば、上部側において空間を大きく取るように固定されている。これによって、上下の横バタ材１４，１５を包囲収容した状態でコンクリート型枠せき板１０に絡むスラブ引き用のセパレータ１６あるいは板状セパレータ２の不要部分を除去することが可能となり、また、コンクリートユニット型枠スライド移動時において上下の横バタ材１４，１５をその取付け位置の近傍に保持しつつ、コンクリートユニット型枠と一体的に吊上げることを可能にする。その結果、高所作業である仮設足場２０上において、上下の横バタ材１４，１５の解体あるいは所要個所に戻す（組み返す）作業が省略化されることから、作業の安全を確保し、能率的に施工できる合理的効果をなし得ることになる。
【００７５】
本発明にかかる、図１０に示す、本発明にかかる横バタ材ホールド金具１８にあっては、前述した図９に示す横バタ材ホールド金具１８の、コンクリート型枠の縦リブ６あるいは中間リブ９に固定するための上下の脚部を、厚み９ミリ、巾２５ミリ程度の金属材により、厚み面が略Ｕ字型に屈曲形成したＵ字型部材８０の脚部にメスネジを穿設し、そのメスネジに締付ボルト８１を螺合してなる挟着締付金物が溶着固定されている。これによって、コンクリート型枠の縦リブ６あるいは中間リブ９が金属製の場合においては、横バタ材ホールド金具１８の取付けまたは取外す作業を挟着締付金物により挟着固定することが可能となり、その結果、ビス等を用いて固定する必要もなくなり、挟着固定あるいは取外し作業を簡便になし得ることになる。
【００７６】
本発明にかかる、図１１に示す、横バタ材ホールド金具１８にあっては、コンクリート型枠に取付く上下の横バタ材１４，１５を、その位置において包囲収容するため、コ字型に屈曲形成した包囲部材８２の空間部に、上下の横バタ材１４，１５を分割するように分離支持する中間受け材８３を固着し、かつ、上下の脚部に、連結用の連結棒８４を挿し込むための連結孔８５を穿孔してなる包囲部材８２と、前記包囲部材８２を取付けるためのコンクリート型枠の縦リブ６あるいは中間リブ９に固定されるコ字型に屈曲形成したブラケット金物８６および連結用の連結棒８４により構成される。これによって、図９、図１０に示す横バタ材ホールド金具１８と異なる点は、包囲部材８２に連結するためのブラケット金物８６を、コンクリート型枠の縦リブ６あるいは中間リブ９に打設固定し、包囲部材８２を分離可能にし、前記包囲部材８２の連結孔８５とブラケット金物８６の連結孔８７を合致せしめ、連結棒８４を挿し込み連結固定する方法になり、その結果、包囲部材８２をワンタッチで取付けあるいは取外し操作をなし得ることから作業性を迅速化することとなる。
【００７７】
前述した包囲部材８２は、厚み４.５ミリ、巾３８ミリ、長さ３５０ミリ程度の金属材により、厚み面がコ字型に屈曲形成した包囲部材８２の上下の脚部に、連結棒８４を挿しこむための連結孔８５を穿孔し、前記包囲部材８２の空間部に上下の横バタ材１４，１５を分離支持するための、金属丸棒あるいは金属角棒等による中間受け材８３を溶接等により固定するが、その固定位置は、スラブ引き用のセパレータ１６あるいは板状セパレータ２の撤去作業時に、その作業性を阻害することの無いように、言い換えれば、スラブ引き用のセパレータ１６あるいは板状セパレータ２の撤去作業時に用いる回し工具１９を挿し込むため、上下の横バタ材１４，１５相互の間隔を広げ得るように、特に、上段側に配置される横バタ材１４の移動量を大きくするように、換言すれば、上部側において空間を大きく取るように固定されている。
【００７８】
前述したブラケット金物８６は、厚み４.５ミリ、巾３８ミリ、長さ２５０ミリ程度の金属材により、厚み面がコ字型に屈曲形成したブラケット部材の、上下の脚部に連結棒８４を挿し込むための挿入孔８７を穿孔し、他方、縦垂直面にコンクリート型枠縦リブ６あるいは中間リブ９にビス等を用いて打設固定するための固定孔８８を穿孔している。これによって、該ブラケット金物８６をコンクリート型枠の縦リブ６あるいは中間リブ９に固定せしめ、横バタ材ホールド金具１８の本体部を連結棒８４により取付けることになる。
【００７９】
前述した連結棒８４は、直径が９ミリ程度の金属棒の下部先端を、横バタ材ホールド金具１８の本体部とブラケット金物８６を連結する連結孔８７、８５に挿し込むことを円滑にするためテーパー状に切削形成し、他方、上端部を落下防止および撮みを容易にするため、直角に屈曲形成している。
【００８０】
しかし、横バタ材ホールド金具１８の取付けは、コンクリートユニット型枠として上下の横バタ材１４，１５を支持するに足りるだけ、コンクリートユニット型枠の幅方向に対して適宜間隔で取付けばよい。
【実施例２】
【００８１】
図１２、図１３に示す回し工具１９にあっては、板状セパレータ２に挿し込むための挿通口８９を有する嵌着部材９０の先端を、スラブ引き用のセパレータ１６あるいは板状セパレータ２が挿通する型枠せき板１０の挿通孔７２まで挿し込み、前記挿通孔７２に嵌合せしめ、回し工具１９のハンドル棒９１を回転させることにより、スラブ引き用のセパレータ１６あるいは板状セパレータ２に形成された断面欠損部から、換言すれば、コンクリート面からはみださない位置に形成された破断部５から破断するものであって、この時、コーンカップ４も共に回転し、剥脱することになる。これによって、上下の横バタ材１４，１５を保存した状態でコンクリート型枠せき板１０に絡むスラブ引き用のセパレータ１６あるいは板状セパレータ２の不要部分を除去することが容易となる。しかし、この回し工具１９を使用することを特に限定するものではなく、その用途に適す構造であれば良いことを理解されたい。
【００８２】
前述した回し工具１９は、金属質材の肉薄鋼管による軸管９２の先端に、スラブ引き用のセパレータ１６あるいは板状セパレータ２の挿通可能な挿通口８９を切削あるいは圧搾成形した硬質金属材による嵌着部材９０を溶接等により固着し、前記軸管９２の後端部に金属丸棒によるハンドル棒９１を溶接等により固着している。また、前記嵌着部材９０の先端部を、型枠せき板１０に形成されたスラブ引き用のセパレータ１６あるいは板状セパレータ２の挿通孔７２に挿し込むことを円滑にするため出隅をテーパー状に面を取っている。
【００８３】
図１４〜図１５に示す吊下げ金具２５にあっては、コンクリートユニット型枠の下端部を押圧する一気通貫性のバタ材２３を包括するように、金属板を図１４に示す形状に切断形成し、換言すれば、下方に受台部を有する、大略鉤状あるいは大略釣り針状に切断形成した本体部９３の、上方に、玉掛用ロープ２４を取付けるための係止孔５０を穿孔し、下方、受台部に、厚み４.５ミリ、巾４５ミリ、長さ８０ミリ程度の金属板にビス、ネジボルト等を挿入するための固定孔９４を穿孔した受板９５を溶着固定し、上方、垂直部には、縦リブ６あるいは中間リブ９に固定するための、前記受板９５とほぼ同形状の金属板にビス等を挿入するための固定孔９６を穿孔した、固定板９７を溶着固定している、これによって、その吊下げ金具２５をコンクリートユニット型枠の下端部の縁リブ８に、敷きバタ材１３を介してビス、ネジボルト等により固定されている。その結果、コンクリートユニット型枠のスライド時において、玉掛用ロープ２４の係止作業が容易になる。しかし、その吊下げ具２４を使用することを特に限定するものではなく、その用途に適す構造であれば良いことを理解されたい。
【００８４】
図１６（ａ）、図１７（ａ）に示すガイド金具２６にあっては、厚み４ミリ、長さ２５０ミリ程度の金属板を、コ字型に屈曲形成してなるコ字型部材９８の背面に、コンクリートユニット型枠の上の縁リブ７を包みこむようにビス、ネジボルト等を用いて固定するための小孔９９を穿孔し、該コ字型部材９８の片側面に、直径が１６ミリ程度の金属丸棒をコ字型に屈曲形成したガイド部材１００を溶着固定している。これにより、コンクリートユニット型枠の上端部にビス、ネジボルト等を用いて固定し、玉掛用ロープ２４を包囲するようにガイド（案内）することで、コンクリートユニット型枠の動きを規制することになる。しかし、そのガイド金具２６を使用することを特に限定するものではなく、その用途に適す構造であれば良いことを理解されたい。
【００８５】
図１６（ｂ）、図１７（ｂ）に示すスキッド金具２８にあっては、厚み４．５ミリ、巾５０ミリ程度の金属材を短辺方向が１２０ミリ、長辺方向が２５０ミリ程度になるように屈曲形成した、短辺方向水平部に、既設コンクリート躯体２７の最上部にアンカーボルト等を用いて取付けるための長孔１０１を穿設し、他方、長辺方向垂直部にスキッド部材５２を固定するためのビス孔１０２を穿孔したＬ型金物１０３に、後述するスキッド部材５２がビス等により固定している。これによって、スキッド金具２８を既設コンクリート躯体２７の最上部に取付けて用いることにより、コンクリートユニット型枠がスキッド部材５２に凭れながら移動することでコンクリートユニット型枠を安定的に吊上げることと、既設コンクリート躯体２７の最上部に突出する板状セパレータとコンクリートユニット型枠との接触防止を保護することになる。
【００８６】
前述したスキッド部材５２は、木質材により、コンクリート躯体２７面から突出した最上段に残置する板状セパレータ２より僅かにはみでるように、側面が、略台形状に切削形成し、かつ、摺動を円滑にするために出隅部分は丸面を形成している。
【００８７】
尚、前述実施例において、コンクリートユニット型枠の締結に際して、板状セパレータ２とコンクリート型枠締付金具１７の締結金具による例を説明したが、従来から知られる丸棒状セパレータとフォームタイとの組み合わせによる締結も可能である。
【図面の簡単な説明】
【００８８】
【図１】本発明にかかるコンクリートユニット型枠の構成を示す部分斜視図
【図２】本発明にかかるコンクリートユニット型枠の支持金具の形態を示す正面図
【図３】スラブ引き用のセパレータを使用する場合を示す図２のＡ−Ａ線断側面図
【図４】板状セパレータを使用する場合を示す図２のＡ−Ａ線断側面図
【図５】図３のＢ−Ｂ線断平面図
【図６】本発明にかかるコンクリート型枠締付金具の形態を示す正面図
【図７】図６のＣ-Ｃ線断側面図
【図８】図７のＤ-Ｄ線断平面図
【図９】本発明にかかる横バタ材ホールド金具の形態を示す斜視図
【図１０】本発明にかかる横バタ材ホールド金具の別の形態を示す斜視図
【図１１】本発明にかかる横バタ材ホールド金具の別の形態を示す斜視図
【図１２】回し工具の形態を示す断側面図
【図１３】回し工具の形態を示す斜視図
【図１４】コンクリートユニット型枠用の吊下げ金具の形態を示す側面図
【図１５】図１４のＥ-Ｅ線断正面図
【図１６】ガイド金具およびスキッド金具の形態を示す平面図で（ａ）は、ガイド金具、（ｂ）は、スキッド金具を示す
【図１７】図１６のＦ-Ｆ線断側面図
【図１８】本発明にかかるコンクリートユニット型枠スライド時の形態を示す断側面図
【図１９】本発明にかかるコンクリートユニット型枠スライド完了時の形態を示す断側面図
【符号の説明】
【００８９】
１  コンクリート型枠２  板状セパレータ３  受止め板４  コーンカップ５  破断部６  縦リブ７  縁リブ８  縁リブ９  中間リブ１０  せき板１１  目地棒１２  目地棒１３  敷きバタ材１４  横バタ材１５  横バタ材１６  セパレータ１７  コンクリート型枠締付金具１８  横バタ材ホールド金具１９  回し工具２０  仮設足場２１  コンクリートユニット型枠の支持金具２２  締付金具２３  バタ材２４  玉掛用ロープ２５  吊下げ金具２６  ガイド金具２７  躯体２８  スキッド金具２９  小孔３０  スペーサブロック３１  締結金具３２  固定脚部３３  ネジ杆３４  ナット３５  目地溝３６  軸ボルト３７  座板３８  仮設控え金具３９  連結部材４０  軸受け部４１  座金４２  クサビ４３  長孔４４  横バタ材仮受け金具４５  座板４６  ネジ杆４７  ナット４８  コンクリート型枠４９  吊荷フック５０  係止孔５１  ロープ５２  スキッド部材５３  耐圧プレート５４  巾止め板５５  スペーサ５６  透孔５７  連結部材５８  透孔５９  クサビ６０  座板金具６１  小孔６２  突起６３  垂直部６４  メスネジ６５  突起６６  軸受け部材６７  係止部６８  固定孔６９  枕木７０  透孔７１  段部７２  挿通孔７３  突起７４  座金７５  フック７６  末端部７７  包囲部材７８  固定孔７９  中間受け材８０  Ｕ字型部材８１  締付ボルト８２  包囲部材８３  中間受け材８４  連結棒８５  連結孔８６  ブラケット金物８７  連結孔８８  固定孔８９  挿通口９０  嵌着部材９１  ハンドル棒９２  軸管９３  本体部９４  固定孔９５  受板９６  固定孔９７  固定板９８  コ字型部材９９  小孔１００  ガイド部材１０１  長孔１０２  ビス孔１０３  Ｌ型金物
【図１】
2008115591.tif 000003
【図２】
2008115591.tif 000004
【図３】
2008115591.tif 000005
【図４】
2008115591.tif 000006
【図５】
2008115591.tif 000007
【図６】
2008115591.tif 000008
【図７】
2008115591.tif 000009
【図８】
2008115591.tif 000010
【図９】
2008115591.tif 000011
【図１０】
2008115591.tif 000012
【図１１】
2008115591.tif 000013
【図１２】
2008115591.tif 000014
【図１３】
2008115591.tif 000015
【図１４】
2008115591.tif 000016
【図１５】
2008115591.tif 000017
【図１６】
2008115591.tif 000018
【図１７】
2008115591.tif 000019
【図１８】
2008115591.tif 000020
【図１９】
2008115591.tif 000021